(57)【要約】【課題】制御基板に取り付けられているリード線の近傍位置にケースと連設して片腕形状のリード線巻回部を備えた構造にして、リード線を巻回部に巻回するようにしたトリガースイッチを提供する。【解決手段】トリガースイッチは、操作レバーの摺動操作に基いて可動接点をオンオフさせる接点機構と、該接点機構の接点状態を電気信号にして伝達する機能を備えた制御基板と、前記制御基板に取り付けたリード線と、を備え、前記制御基板に取り付けたリード線の基部側の近傍位置に前記リード線を巻回させるリード線巻回部を備えたことである。【選択図】  図１
2011175829.tif 000002
【特許請求の範囲】
【請求項１】
操作レバーの摺動操作に基いて可動接点をオンオフさせる接点機構と、該接点機構の接点状態を電気信号にして伝達する機能を備えた制御基板と、前記制御基板に取り付けたリード線と、を備え、
前記制御基板に取り付けたリード線の基部側の近傍位置に前記リード線を巻回させるリード線巻回部を備えたことを特徴とするトリガースイッチ。
【請求項２】
前記リード線巻回部は、ケースに連設して片腕状に形成し、基部から起立させた起立部の先端を直交方向に延設させた延設部を設け、前記起立部の先端を突出させた基端ガイド部と、前記延設部の終端側を内方向及び外方向に突出させた内方向ガイド部及び外方向ガイド部を備えたことを特徴とする請求項１に記載のトリガースイッチ。
【発明の詳細な説明】
【技術分野】
【０００１】
本発明はトリガースイッチに関し、詳しくは、電動工具用スイッチに使用されているスイッチから導出されているリード線が振動等により線自体の切断や外れ等を防止するためにリード線を緩衝できるようにして配置したトリガースイッチに関する。
【背景技術】
【０００２】
従来技術における電動工具用スイッチは、図４及び図５に示すように、操作レバー１１１の操作によりオン／オフする接点機構部を内部に備えたスイッチ本体１１２と、スイッチ本体１１２の側面壁に設けたリード線押さえ部１２５、スイッチ本体１１２の内部に設け、一部を外部に露出させた状態で配置されている制御基板１１３、露出されている制御基板１１３に設けてあるリード線接続部１１４にハンダ付けにより接続されているリード線１１５、リード線１１５の先端に取り付けたコネクタ１１６、とから大略構成されている。
【０００３】
リード線押さえ部１２５は、複数のリブ１２６を整列状態に配置したもので、詳しくは、３つのリブ１２６を直線状に等間隔で配列し、隣接するリブとの間隔（図５においてＷ）はリード線の被覆径（図５においてＶ）に合わせた距離に形成されている。
【０００４】
制御基板１１３のリード線接続部１１４に接続されているリード線１１５は、制御基板１１３のリード線接続部１１４に取り付けられているリード線１１５の途中の部分をリード線押さえ部１２５のリブ１２６の間に挟んでリード線１１５を固定することで、リード線１１５に加わる応力に対して、特にリード線接続部１１４のハンダ付部の部分のリード線１１５に対しての応力を抑制することができる。
【先行技術文献】
【特許文献】
【０００５】
【特許文献１】特開２００８−６２３４６
【発明の概要】
【発明が解決しようとする課題】
【０００６】
しかしながら、従来技術で説明したリード線に加わる応力を抑制する構造として複数のリブの間にリード線を挟みこむ構造のリード線押さえ部を設けたスイッチにおいて、そのリード線押さえ部を形成する複数のリブの間隔がリード線の被覆径（リード線の直径）に合わせた間隔になっている。そのため、リード線の被覆径によっては挟み込んで固定できないものもあり、構造的に決められたリード線しか使用することができないという問題がある。
また、複数のリブからなるリード線押さえ部においては、リード線を装着するときに、リード線を１本づつ、リブの間にだぶらないように挟み込む必要があり、そのため手間と時間がかかるという問題もある。
【０００７】
従って、制御基板に取り付けられている信号用のリード線の引き回しに際して、そのリード線に応力がかかってもハンダ付けした側のリード線に影響を及ぼさない従来技術と異なった構造のリード線を緩衝及び固定する手段、例えば、引き回しが簡単で且つリード線の被覆径に関係せず、しかも手間と時間がかからないで装着固定できるような構造のリード線の途中で固定する構造に解決しなければならない課題を有する。
【課題を解決するための手段】
【０００８】
上記課題を解決するために、本願発明のトリガースイッチは、次に示す構成にすることである。
【０００９】
（１）トリガースイッチは、操作レバーの摺動操作に基いて可動接点をオンオフさせる接点機構と、該接点機構の接点状態を電気信号にして伝達する機能を備えた制御基板と、前記制御基板に取り付けたリード線と、を備え、前記制御基板に取り付けたリード線の基部側の近傍位置に前記リード線を巻回させるリード線巻回部を備えたことである。
（２）前記リード線巻回部は、ケースに連設して片腕状に形成し、基部から起立させた起立部の先端を直交方向に延設させた延設部を設け、前記起立部の先端を突出させた基端ガイド部と、前記延設部の終端側を内方向及び外方向に突出させた内方向ガイド部及び外方向ガイド部を備えたことを特徴とする（１）に記載のトリガースイッチ。
【発明の効果】
【００１０】
本発明に係るトリガースイッチは、制御基板に取り付けられているリード線の近傍位置にケースと連設して片腕形状のリード線巻回部を備えた構造にすることで、リード線を巻回部に巻回する、通常１ターン巻回して所望の箇所に引き込むことで、巻回した箇所でのリード線に加わる応力を緩和させることができる。単に、巻回するだけであるため、組み立てる際には組み立て作業が簡単で、しかもリード線の被覆径といった制約は全く考慮する必要がないため、部品精度が極めて緩やかにすることが可能となる。
【図面の簡単な説明】
【００１１】
【図１】本発明に係るトリガースイッチの平面図である。
【図２】同、背面図である。
【図３】同、後方側からみた斜視図である。
【図４】従来技術におけるトリガースイッチの斜視図である。
【図５】従来技術におけるリード線押さえ部を拡大して示した説明図である。
【発明を実施するための最良の形態】
【００１２】
本願発明に係るトリガースイッチの実施形態について、図面を参照して説明する。
【００１３】
本発明に係るトリガースイッチは、図１乃至図３に示すように、操作レバー１１の摺動操作により可動接点をオン／オフ動作させる接点機構をケース１２内部に備え、このケース１２に蓋をするカバー１３とを備え、ケース１２には制御基板１４を内蔵させ、その制御基板１４の一部が外部に突出させた状態で維持する構造となっている。
このケース１２において、制御基板１４の一部を突出させる近傍位置にリード線１５を巻回させるリード線巻回部１６を備えた構造となっている。
【００１４】
リード線巻回部１６は、ケース１２の底部に連設させて一体的に設けたもので、全体が片腕形状に形成され、基部側から起立した起立部１７、この起立部１７の先端側が直交方向に延設した延設部１８、延設部１８の基端を更に外方向に突出形成した基端ガイド部１９、延設部１８の先端側で内方向に突出させて形成した内方向ガイド部２１、外方向に突出形成した外方向ガイド部２２、とを有する形状となっている。
【００１５】
このような構造のリード線巻回部１６においては、制御基板１４にハンダ付けにて取り付けられている複数のリード線１５、実施例においては４本のリード線１５を束ねて片腕形状に形成された延設部１８に１ターン巻回する。そうすると、基端ガイド部１９と内方向ガイド部２１及び外方向ガイド部２２に挟まれた延設部１８にリード線１５の束が集約されて巻くことができる。
【００１６】
巻かれたリード線１５は少なくとも１ターン巻いて絡めるため、巻かれた部位で巻かれた同士を締め付けるため、ハンダ付けした側のリード線１５には引っ張り等の外力がかからない。そのため、リード線１５を引き回し等しても直接ハンダ付けした側のリード線１５には影響を与えない。
【００１７】
更に、絡めたリード線１５においては、振動等による強弱な引っ張り或いは緩める等が発生しても絡めた部位のリード線１５が引っ張り或いは緩める力を吸収することにより、他への影響、例えば、ハンダ付けしたリード線１５の接続部位には直接影響しないようにすることができる。
【００１８】
また、リード線１５をリード線巻回部１６に巻回するには、束ねたリード線１５をリード線巻回部１６の延設部１８に巻回するときに、延設部１８の周囲にはスペースが確保されているため、巻回するリード線１５の被覆径の寸法にこだわることなく巻くことができ、リード線１５の被覆径のバラツキに関係なく簡単に且つ容易に巻くことができるというものである。
【産業上の利用可能性】
【００１９】
制御基板に取り付けられているリード線の近傍位置にケースと連設して片腕形状のリード線巻回部を備えた構造にして、リード線を巻回部に巻回するようにしたトリガースイッチを提供する。
【符号の説明】
【００２０】
１１      操作レバー
１２      ケース
１３      カバー
１４      制御基板
１５      リード線
１６      リード線巻回部
１７      起立部
１８      延設部
１９      基端ガイド部
２１      内方向ガイド部
２２      外方向ガイド部
【図１】
2011175829.tif 000003
【図２】
2011175829.tif 000004
【図３】
2011175829.tif 000005
【図４】
2011175829.tif 000006
【図５】
2011175829.tif 000007